(57)【要約】【課題】ミシン目の開封の際、意図しない部分の破断を防止することができる包装容器を提供すること。【解決手段】包装容器１は、容器本体１０と、容器本体１０に、複数の切込部２１及び複数の非切込部２２が交互に配置されて形成されたミシン目部２０と、を備える包装容器１であって、ミシン目部２０は、破断することで開口部１５を形成する開口用ミシン目部２１０と、開口用ミシン目部２１０を破断した場合に、折り曲げの起点となるヒンジ用ミシン目部２２０と、を備え、開口用ミシン目部２１０は、ヒンジ用ミシン目部２２０との境界において、開口用ミシン目部２１０の延びる方向に交差して、ヒンジ用ミシン目部２２０の延びる方向へ延びる直線部５１及び直線部５１の先端側において屈曲又は湾曲する曲がり部５２を有する破断防止切込部５０を有する。【選択図】図１
2016175669.tif 000002
【特許請求の範囲】
【請求項１】
容器本体と、
前記容器本体に、複数の切込部及び複数の非切込部が交互に配置されて形成されたミシン目部と、を備える包装容器であって、
前記ミシン目部は、
破断することで開口部を形成する開口用ミシン目部と、
前記開口用ミシン目部を破断した場合に、折り曲げの起点となるヒンジ用ミシン目部と、を備え、
前記開口用ミシン目部は、
前記ヒンジ用ミシン目部との境界において、前記開口用ミシン目部の延びる方向に交差して、前記ヒンジ用ミシン目部の延びる方向へ延びる直線部及び該直線部の先端側において屈曲又は湾曲する曲がり部を有する破断防止切込部を有する包装容器。
【請求項２】
前記曲がり部は、前記容器本体の内側に向かって屈曲又は湾曲し、前記ヒンジ用ミシン目部における前記非切込部に隣接する請求項１に記載の包装容器。
【請求項３】
前記ヒンジ用ミシン目部は、
中央部に配置される第１切込部と、
前記第１切込部よりも長さの短い複数の第２切込部と、を備える請求項１又は２に記載の包装容器。
【請求項４】
前記第１切込部は、前記容器本体の内側に向かって凸となるように湾曲した形状を有する請求項３に記載の包装容器。
【請求項５】
前記ヒンジ用ミシン目部は、前記第１切込部に隣り合って配置される一対の第３切込部を更に含み、
一対の前記第３切込部は、前記第１切込部とは逆方向に凸となるように湾曲した形状を有する請求項３又は４に記載の包装容器。
【請求項６】
前記容器本体は、直方体状に形成され、
前記ミシン目部は、前記容器本体の天面に設けられ、
前記容器本体の内部にはシート体が収容される請求項１〜５のいずれかに記載の包装容器。
【発明の詳細な説明】
【技術分野】
【０００１】
本発明は、包装容器に関し、特に、ミシン目が設けられた包装容器に関する。
【背景技術】
【０００２】
従来、内部に製品が収容された包装容器の表面にミシン目を形成し、ミシン目を押圧して破断させることで、包装容器を開封することが知られている。ミシン目を破断させた部分は、包装容器の開口部を構成するとともに、ミシン目を破断させなかった部分を折り曲げてヒンジ部とする蓋となる（例えば、特許文献１参照）。
【０００３】
また、特許文献１の包装容器では、破断させるためのミシン目と、折り曲げるためのミシン目との交差する部分に、Ｕ字状の切込みを形成することが提案されている。
【先行技術文献】
【特許文献】
【０００４】
【特許文献１】特開２０１２−７６７９０号公報
【発明の概要】
【発明が解決しようとする課題】
【０００５】
しかしながら、強い力でミシン目に沿って開封すると、開口部の端部を超えて、容器が破れてしまうことがある。特許文献１で提案されるＵ字の切込みは、ヒンジ部の折り曲げを容易にするために設けられたものであり、このような切込みを設けても、開封する力が強いとミシン目の破断を効果的に防止することは難しかった。
【０００６】
包装容器にミシン目を形成し、ミシン目を破断して蓋を形成する場合、包装容器内に収容したものがすべて消費されるまで、包装容器は使用されることが多い。包装容器の意図しない部分が破断されると、内部を衛生的に保ったり、外観を美しく保ったりすることが難しくなる。このため、ミシン目の開封時に意図しない部分の破断を防止することが望まれている。
【０００７】
本発明は、ミシン目の開封の際、意図しない部分の破断を防止することができる包装容器を提供することを目的とする。
【課題を解決するための手段】
【０００８】
本発明は、容器本体と、前記容器本体に、複数の切込部及び複数の非切込部が交互に配置されて形成されたミシン目部と、を備える包装容器であって、前記ミシン目部は、破断することで開口部を形成する開口用ミシン目部と、前記開口用ミシン目部を破断した場合に、折り曲げの起点となるヒンジ用ミシン目部と、を備え、前記開口用ミシン目部は、前記ヒンジ用ミシン目部との境界において、前記開口用ミシン目部の延びる方向に交差して、前記ヒンジ用ミシン目部の延びる方向へ延びる直線部及び該直線部の先端側において屈曲又は湾曲する曲がり部を有する破断防止切込部を有する包装容器に関する。
【０００９】
また、前記曲がり部は、前記容器本体の内側に向かって屈曲又は湾曲し、前記ヒンジ用ミシン目部における前記非切込部に隣接することが好ましい。
【００１０】
また、前記ヒンジ用ミシン目部は、中央部に配置される第１切込部と、前記第１切込部よりも長さの短い複数の第２切込部と、を備えることが好ましい。
【００１１】
また、前記第１切込部は、前記容器本体の内側に向かって凸となるように湾曲した形状を有することが好ましい。
【００１２】
また、前記ヒンジ用ミシン目部は、前記第１切込部に隣り合って配置される一対の第３切込部を更に含み、一対の前記第３切込部は、前記第１切込部とは逆方向に凸となるように湾曲した形状を有することが好ましい。
【００１３】
また、前記容器本体は、直方体状に形成され、前記ミシン目部は、前記容器本体の天面に設けられ、前記容器本体の内部にはシート体が収容されることが好ましい。
【発明の効果】
【００１４】
本発明によれば、ミシン目の開封の際、意図しない部分の破断を防止することができる。
【図面の簡単な説明】
【００１５】
【図１】本実施形態の包装容器の斜視図である。
【図２】本実施形態の包装容器の平面図である。
【図３】本実施形態の包装容器の開封状態を示す斜視図である。
【発明を実施するための形態】
【００１６】
以下、本発明の包装容器の好ましい各実施形態について、図１〜図３を参照しながら説明する。
包装容器１は、容器本体１０と、ミシン目部２０と、破断防止スリット３０と、補助破断防止スリット４０と、を有する。
【００１７】
図１及び図２に示すように、容器本体１０は、高さ方向ＨＤの長さよりも幅方向ＷＤの長さ及び長手方向ＬＤの長さが大きい直方体に形成され、天面１１と、底面１２と、長手方向ＬＤに沿う側面１３と、幅方向ＷＤに沿う側面１４と、により構成される。例えば、容器本体１０は、高さ４５ｍｍ〜５５ｍｍ、幅１４０〜１６０ｍｍ、長さ２３０〜２５０ｍｍ程度の寸法を有する。
【００１８】
図３に示すように、容器本体１０は、以下に説明するミシン目部２０を破断することで形成される開口部１５と、観音開きの蓋部１６と、を有する。容器本体１０は、例えばキッチンペーパーのようなシート体９を内部に収容する容器であり、厚紙により構成されている。
【００１９】
ミシン目部２０は、容器本体１０の天面１１に複数の切込部２１及び複数の非切込部２２が交互に配置されて形成される。複数の切込部２１は、容器本体１０を構成する部材（厚紙）を貫通するスリットにより形成されている。
【００２０】
本実施形態では、ミシン目部２０は、開口用ミシン目部２１０と、ヒンジ用ミシン目部２２０と、を含む。
ヒンジ用ミシン目部２２０は、天面１１の幅方向ＷＤの一端側及び他端側において、長手方向ＬＤに沿って形成される。ヒンジ用ミシン目部２２０は、開口用ミシン目部２１０を開封して開口部１５を形成する際、折り曲げの起点となる。ヒンジ用ミシン目部２２０の全長は、例えば、２００ｍｍ〜２３０ｍｍを例示できる。
【００２１】
ヒンジ用ミシン目部２２０は、切込部２１としての第１切込部２２１、第２切込部２２２、及び第３切込部２２３と、非切込部２２としてのヒンジ用非切込部２２４と、を有する。
【００２２】
第１切込部２２１は、ヒンジ用ミシン目部２２０の長手方向ＬＤの略中央に配置され、天面１１の幅方向ＷＤの中央部に向かって凸となるように湾曲した形状を有する。第１切込部２２１は、複数の切込部２１のうち、最も長く形成される。第１切込部２２１の両端部間の直線距離は、ヒンジ用ミシン目部２２０の長さの１／８〜１／６の範囲が好ましい。第１切込部２２１の長さが長すぎると、第１切込部２２１の長さが短すぎると、蓋部１６を折り曲げるための力を十分に低減できなくなる。第１切込部２２１の両端部間の直線距離は、２５ｍｍ〜３５ｍｍを例示できる。
【００２３】
第２切込部２２２は、ヒンジ用ミシン目部２２０の長手方向ＬＤに沿って複数配置され、直線状に延びる。第２切込部２２２のそれぞれの長さは、ヒンジ用ミシン目部２２０を折り曲げの起点として蓋部１６を容易に折り曲げられるようにする観点から、好ましくは５ｍｍ〜１５ｍｍである。
【００２４】
第３切込部２２３は、第１切込部２２１の両端側に、それぞれが第１切込部２２１と第２切込部２２２の間に配置される。第３切込部２２３は、第１切込部２２１に隣接して配置され、第１切込部２２１と逆の方向、すなわち幅方向ＷＤの外側に向かって凸となるように湾曲して形成される。第３切込部２２３は、第１切込部２２１よりも短く形成される。各第３切込部２２３の両端部間の直線距離は、第２切込部２２２の長さと略等しく構成される。
【００２５】
ヒンジ用非切込部２２４は、ヒンジ用ミシン目部２２０が容易に破断してしまうことを防ぐ観点から、開口用ミシン目部２１０を構成する非切込部２２よりも長さが長く形成される。ヒンジ用非切込部２２４のそれぞれの長さは、好ましくは２ｍｍ〜５ｍｍである。
【００２６】
開口用ミシン目部２１０は、天面１１の幅方向ＷＤに沿う天面短縁１１ａの内側に形成される。開口用ミシン目部２１０は、幅方向ＷＤに沿って形成される一対の短辺縁２１０ａ及びこれら一対の短辺縁２１０ａを幅方向ＷＤの略中央部で繋ぐ開口縁２１０ｂを有する。
【００２７】
開口用ミシン目部２１０は、一対の短辺縁２１０ａ及び開口縁２１０ｂが破断されることで、ヒンジ用ミシン目部２２０を折り曲げ起点として観音開き可能な２つの蓋部１６を形成する。そして、２つの蓋部１６が開かれることにより、開口部１５が形成される。
【００２８】
開口用ミシン目部２１０は、破断することを予定されて形成されるミシン目部であり、切込部２１としての複数の破断防止切込部５０及び複数の開口用切込部２１１と、複数の非切込部２２と、を有する。
【００２９】
破断防止切込部５０は、図１に示すように、開口用ミシン目部２１０の端部に配置される。本実施形態では、破断防止切込部５０は、開口用ミシン目部２１０及びヒンジ用ミシン目部２２０により形成される略長方形の開口部１５の四隅に配置される。破断防止切込部５０は、直線部５１と、曲がり部５２と、第２直線部５３と、を有する。
【００３０】
直線部５１は、開口用ミシン目部２１０とヒンジ用ミシン目部２２０との境界において、ヒンジ用ミシン目部２２０の延長線上に配置され、ヒンジ用ミシン目部２２０側に向かって直線状に延びる部分である。直線部５１の長さは、開口用切込部２１１の長さよりも長いことが好ましく、例えば、８ｍｍ〜１２ｍｍの長さを例示できる。
曲がり部５２は、直線部５１の先端部から、容器本体１０の内側に向かって屈曲し、半円を描くように曲がって形成される。曲がり部５２の終端は、開口用ミシン目部２１０の短辺縁２１０ａ側に近づいている。曲がり部５２の直径（直線部５１と曲がり部５２の終端との間の距離）は、開口用切込部２１１の長さよりも短いことが好ましく、例えば、４ｍｍ〜６ｍｍを例示できる。
第２直線部５３は、直線部５１の基端部から直線部５１に直交して延びる。言い換えれば、第２直線部５３は、短辺縁２１０ａに形成される開口用ミシン目部２１０の延長線上に形成される。直線部５１と第２直線部５３との境界部分は、円弧状に湾曲した形状に形成される。
【００３１】
開口用切込部２１１は、開口用ミシン目部２１０を構成する切込部２１のうちの４つの破断防止切込部５０を除く部分に配置される。開口用切込部２１１の長さは、好ましくは２ｍｍ〜１０ｍｍである。また、複数の非切込部２２の長さは、開口用ミシン目部２１０を開封しやすくする観点から、切込部２１の長さよりも短く形成される。非切込部２２の長さは、好ましくは０．１ｍｍ〜２ｍｍである。
【００３２】
破断防止スリット３０は、第１切込部２２１に形成され、第１切込部２２１の延びる方向に交差する方向に延びる。具体的には、破断防止スリット３０は、第１切込部２２１を構成する弧の長手方向中央に、天面１１の幅方向ＷＤに向かって延びるように形成される。破断防止スリット３０は、容器本体１０を構成する部材を貫通する切れ込みである。破断防止スリット３０は、第１切込部２２１における長手方向の端部間の距離に対して１／３〜１／２の長さを有することが好ましい。破断防止スリット３０は、例えば、８ｍｍ〜１２ｍｍ程度の長さを有し、第１切込部２２１における長手方向の端部間の距離２５ｍｍ〜３５ｍｍに対して、約１／３の長さを有している。
【００３３】
補助破断防止スリット４０は、破断防止スリット３０の近傍において切込部２１から離間して配置される。本実施形態では、補助破断防止スリット４０は、ヒンジ用ミシン目部２２０と、天面１１の長手方向ＬＤに延びる天面長縁１１ｂとの間に２本形成される。補助破断防止スリット４０のそれぞれは、第１切込部２２１の両端側に一端が配置され、他端が天面１１の天面長縁１１ｂ側で互いに近づくように斜めに延びる。詳細には、補助破断防止スリット４０のそれぞれは、第１切込部２２１及び破断防止スリット３０の交点から、破断防止スリット３０を天面長縁１１ｂ側へ向けて延長させた第１仮想線４１に向けて、第１切込部２２１の長手方向における端部の近傍から延ばした第２仮想線４２上に形成される。補助破断防止スリット４０は、例えば、それぞれが５ｍｍ〜１０ｍｍの長さを有し、２本の補助破断防止スリット４０における天面長縁１１ｂ側の端部同士の距離は、１０ｍ〜１５ｍｍ離間していることを例示できる。
【００３４】
以上の包装容器１の使用の状態について、図３を参照して説明する。
包装容器１の内部には、例えばキッチンペーパーのような厚手の紙製のシート体９が、二つ折りで、交互に重ねて収容されている。シート体９を取り出す開口部１５は、天面１１に設けられている。キッチンペーパーは厚手で腰があり、面積が大きいので、開口部１５が大きく形成されるようにミシン目部２０（開口用ミシン目部２１０）が多数（一対の短辺縁２１０ａ及び開口縁２１０ｂ）形成されている。
また、開口部１５を大きく形成するため、蓋部１６の大きさも大きくなる。このような大きな蓋部１６を容易に折り曲げられるように、蓋部１６の折り曲げの起点となるヒンジ部分もミシン目部２０（ヒンジ用ミシン目部２２０）により構成される。
【００３５】
シート体９を取り出す時は、天面１１を押すようにして開口用ミシン目部２１０を破断させて開口部１５を形成する。この場合、まず、開口縁２１０ｂを幅方向ＷＤの略中央部で押すようにして破断し、長手方向ＬＤに沿って、一対の短辺縁２１０ａまで切り開く。続いて、切り開かれた開口縁２１０ｂを指でつまんで持ち上げるようにして、一対の短辺縁２１０ａを切り開き、蓋部１６を形成する。このとき、蓋部１６を持ち上げる力が強すぎると、短辺縁２１０ａは、ヒンジ用ミシン目部２２０で止まらずに、包装容器１の天面長縁１１ｂ側まで破れてしまうことがある。
【００３６】
しかし、本実施形態では、開口用ミシン目部２１０の端部に破断防止切込部５０が形成されている。このため、開封の際の短辺縁２１０ａに沿って包装容器１の外側に向かう力は、短辺縁２１０ａが延びる方向に交差する破断防止切込部５０の直線部５１によって、ヒンジ用ミシン目部２２０側に向かう。このため、短辺縁２１０ａの切込部２１から、天面長縁１１ｂ側に包装容器１の天面１１が破断することが防止される。
【００３７】
また、直線部５１の先端は、容器本体１０の内側へ屈曲して湾曲する曲がり部５２に連続している。このため、開口用ミシン目部２１０を開封する力は、まず直線部５１に向かい、更に直線部５１から蓋部１６の内側へ、曲がり部５２に沿って逃がされる。よって、直線部５１に隣接するヒンジ用ミシン目の非切込部２２に対しては、この非切込部２２を破断するほどの大きな力がかかりにくいので、ヒンジ用ミシン目部２２０が破断することを防止できる。
【００３８】
更に、第１切込部２２１が、天面１１の幅方向ＷＤ中央側に向かって凸となるように湾曲して形成されており、第３切込部２２３が、第１切込部２２１とは逆方向に凸となるように湾曲した形状を有している。このため、図３に示すように、蓋部１６を持ち上げると、ヒンジ用ミシン目部２２０上で、第１切込部２２１及び第３切込部２２３によって、弧状の隙間が形成される。また、第３切込部２２３が第１切込部２２１の両端に隣接して配置されているので、弧状の空間が断続的に長手方向に連続する。
【００３９】
このような構成により、蓋部１６を開けるときに、第１切込部２２１及び第３切込部２２３において、容器本体１０を構成する部材（厚紙）が干渉（接触）しないので、蓋部１６を開けるために必要となる力を小さくできる。したがって、湾曲した第１切込部２２１及び第３切込部２２３が形成されてない場合と比べて、小さな力で蓋部１６を開けられる。よって、開口用ミシン目部２１０の短辺縁２１０ａの端部から、外側へ及んで意図しない方向へ破断する可能性も小さくなる。
【００４０】
以上説明した本実施形態の包装容器１によれば、以下のような効果を奏する。
【００４１】
（１）包装容器１のミシン目部２０を、破断することで開口部１５を形成する開口用ミシン目部２１０と、開口用ミシン目部２１０を破断した場合に、折り曲げの起点となるヒンジ用ミシン目部２２０と、を含んで構成した。また、開口用ミシン目部２１０を、破断防止切込部５０を含んで構成し、破断防止切込部５０を、ヒンジ用ミシン目部２２０部との境界において、開口用ミシン目部２１０の延びる方向に交差して、ヒンジ用ミシン目部２２０の延びる方向に延びる直線部５１と、直線部５１の先端側において屈曲又は湾曲する曲がり部５２と、を含んで構成した。
【００４２】
開口用ミシン目部２１０に、開口用ミシン目部２１０の延びる方向に交差して、ヒンジ用ミシン目部２２０の延びる方向に延びる破断防止切込部５０が形成されている。このため、開口用ミシン目部２１０を開封する力は、破断防止切込部５０に案内されてヒンジ用ミシン目部２２０の延びる方向に向かう。これにより、開口用ミシン目部２１０を破断して開口を形成する際に、意図しない方向、すなわち短辺縁２１０ａの切込部２１から、天面長縁１１ｂ側に向かって包装容器１の天面１１が破断することを防止できる。
また、破断防止切込部５０が、直線部５１の先端側において直線部５１から屈曲又は湾曲する曲がり部５２を有している。このため、開口用ミシン目部２１０の開封方向からヒンジ用ミシン目部２２０の延びる方向に向かった力は、ヒンジ用ミシン目部２２０を破断させることなく、曲がり部５２に沿って逃される。このため、ヒンジ用ミシン目部２２０の破断を防止できる。
【００４３】
（２）曲がり部５２を、容器本体１０の内側に向かって屈曲又は湾曲させ、ヒンジ用ミシン目部２２０における非切込部２２に隣接するように配置した。このため、開口用ミシン目部２１０を開封する力は、曲がり部５２に沿って容器本体１０の内側へ誘導される。よって、ヒンジ用ミシン目部２２０の破断をより確実に防止できる。
【００４４】
（３）ヒンジ用ミシン目部２２０を、中央部に配置される第１切込部２２１と、第１切込部２２１よりも長さの短い複数の第２切込部２２２と、を含んで構成した。これにより、ヒンジ用ミシン目部２２０を、長さの長い第１切込部２２１を含んで構成することで、ヒンジ用ミシン目部２２０における切込部２１が形成されている部分の長さを長くできるので、蓋部１６をより小さな力で開けられる。また、長さの長い第１切込部２２１をヒンジ用ミシン目部２２０の中央部に配置したので、ヒンジ用ミシン目部２２０における切込部２１が形成されている部分の長さを長くした場合であっても、ヒンジ用ミシン目部２２０が意図せず開封されてしまう可能性を低減できる。
【００４５】
（４）第１切込部２２１を、容器本体１０の内側に向かって凸となるように湾曲した形状に形成した。これにより、蓋部１６を開けるときに、ヒンジ用ミシン目部２２０上で、第１切込部２２１によって弧状の隙間を形成できる。よって、第１切込部２２１において、容器本体１０を構成する部材（厚紙）が干渉（接触）しないので、蓋部１６を開けるために必要となる力をより小さくできる。したがって、湾曲した第１切込部２２１が形成されてない場合と比べて、小さな力で蓋部１６を開けられる。その結果、開口用ミシン目部２１０の短辺縁２１０ａの端部から、外側へ及んで意図しない方向へ破断する可能性をより小さくなる。
【００４６】
（５）ヒンジ用ミシン目部２２０を、第１切込部２２１に隣り合って配置され、第１切込部２２１とは逆方向に凸となるように湾曲した形状を有する第３切込部を有して形成した。これにより、第１切込部２２１に隣り合って、第１切込部２２１とは逆方向に凸となるように第３切込部２２３により弧状の隙間が形成されるので、蓋部１６を開けるために必要となる力をより小さくできる。
【００４７】
（６）ミシン目部２０を、箱の天面に設け、容器本体の内部にシート体を収容した。このため、ミシン目部２０を破ることで箱の蓋を形成することができる。また、ミシン目部２０は、上述の破断防止切込部５０を有する開口用ミシン目部２１０を備えているため、開封時に意図しない部分を破断してしまうことなく、包装容器１をシート体の収容容器として利用することができる。
【００４８】
以上、本発明の包装容器１の好ましい実施形態につき説明したが、本発明は、上述した実施形態に制限されるものではなく、適宜変更が可能である。
例えば、破断防止切込部５０の直線部５１は、開口用ミシン目部２１０の短辺縁２１０ａの端部からヒンジ用ミシン目部２２０側に向かって、ヒンジ用ミシン目部２２０に沿って延び、曲がり部５２は、容器本体１０の内側へ向かって曲がっている。しかし、破断防止切込部５０が、開口用ミシン目部２１０の延びる方向に交差して、ヒンジ用ミシン目部２２０の延びる方向に延びるものであれば、これに限られない。例えば、直線部５１は、開口用ミシン目部２１０の短辺縁２１０ａの端部から天面１１の長手方向ＬＤの外側に向かって延びていてもよく、曲がり部５２は容器本体の外側へ曲がってもよい。
【００４９】
また、第１切込部２２１や第３切込部２２３は、弧状に湾曲した形状を有するものとして説明しているが、開封する力に対する反力を緩和することができれば、長円や三角形であってもよく、また、直線状であってもよい。
【００５０】
また、上記実施形態では、蓋部１６を観音開きの蓋部として説明しているが、一方にヒンジが形成された一枚の蓋であってもよい。
【００５１】
また、上記実施形態では、ミシン目は貫通した切込みとして説明しているが、厚さ方向の途中まで切込みが形成されたハーフカット線であってもよく、貫通した切込みと、ハーフカット線の組み合わせであってもよい。
【００５２】
また、上記実施形態では、包装容器１の内部にキッチンペーパーを収納したものとして説明しているが、シート体であればこれに限られず、他の用途の紙又は不織布、樹脂製の製品や、ラミネート加工された保存用の袋等を収容していてもよい。
【符号の説明】
【００５３】
１  包装容器
９  シート体
１０  容器本体
１１  天面
２０  ミシン目部
２１０  開口用ミシン目部
２２０  ヒンジ用ミシン目部
２２１  １切込部
２２２  第２切込部
２２３  第３切込部
２１  切込部
２２  非切込部
５０  破断防止切込部
５１  直線部
５２  曲がり部
【図１】
2016175669.tif 000003
【図２】
2016175669.tif 000004
【図３】
2016175669.tif 000005